(57)【要約】【課題】  スピーカの接続構成の変更に伴うオーディオ設定の手間を省くことを可能とする。【解決手段】  スピーカの接続構成が変更された場合に、変更前の前記スピーカの接続構成に対応するオーディオ設定の調整値を、前記スピーカの接続構成と対応付けて記憶するとともに、既に記憶しているスピーカの接続構成と同じ接続構成にスピーカの接続構成が変更された場合には、当該スピーカの接続構成に対応する前記オーディオ設定の調整値を読み出してオーディオ設定の調整値として設定するようにした。【選択図】      図９
2006186571.tif 000002
【特許請求の範囲】
【請求項１】
スピーカの接続構成が変更可能に構成され、前記スピーカの接続構成に応じてオーディオ設定を調整可能に構成されたオーディオ装置であって、
前記スピーカの接続構成が変更された場合に、変更前の前記スピーカの接続構成に対応するオーディオ設定の調整値を、前記スピーカの接続構成と対応付けて記憶する記憶手段を備え、
前記記憶手段に記憶されているスピーカの接続構成と同じ接続構成にスピーカの接続構成が変更された場合に、当該スピーカの接続構成に対応する前記オーディオ設定の調整値を読み出すようにした
ことを特徴とするオーディオ装置。
【請求項２】
前記記憶手段は、前記スピーカの接続構成ごとにオーディオ設定の調整値のデフォルト値を予め記憶することを特徴とする請求項１に記載のオーディオ装置。
【請求項３】
車輌に搭載される車載機器として構成されたことを特徴とする請求項１または２のいずれかに記載のオーディオ装置。
【請求項４】
スピーカの接続構成が変更可能に構成され、前記スピーカの接続構成に応じてオーディオ設定を調整可能に構成されたオーディオ装置の制御方法であって、
前記スピーカの接続構成が変更された場合に、変更前の前記スピーカの接続構成に対応するオーディオ設定の調整値を、前記スピーカの接続構成と対応付けて記憶するとともに、
既に記憶しているスピーカの接続構成と同じ接続構成にスピーカの接続構成が変更された場合には、当該スピーカの接続構成に対応する前記オーディオ設定の調整値を読み出してオーディオ設定の調整値として設定する
ことを特徴とするオーディオ装置の制御方法。
【発明の詳細な説明】
【技術分野】
【０００１】
本発明は、オーディオ装置およびその制御方法に関する。
【背景技術】
【０００２】
自動車等の車両に搭載される車載装置として、車載オーディオ装置（いわゆる、カーオーディオ）が知られている。車載オーディオ装置は、ラジオ放送などを受信するアナログオーディオソースとしてのチューナや、デジタルオーディオソースとしてのＣＤプレーヤなどから出力される音を、アンプや車載スピーカなどを使って車内に流すものである（例えば特許文献１参照）。
【０００３】
また、車載オーディオ装置に接続されるスピーカとしては様々なものが知られており、例えば、高音用スピーカ（ツィータ）と低音用スピーカ（ウーファ）とを備える、いわゆる２ＷＡＹスピーカや、高音用スピーカ（ツィータ）と低音用スピーカ（ウーファ）との他に中音用スピーカ（スコーカ）を備える、いわゆる３ＷＡＹスピーカ、さらには、重低音用スピーカ（サブウーファ）といったものが知られている。
【０００４】
近年では、上記車載オーディオ装置として、２ＷＡＹスピーカと３ＷＡＹとが適宜付け替えに構成され、また、重低音用スピーカを追加接続可能にするなど、スピーカの接続構成を適宜に変更可能に構成されたものが知られており、ユーザは好みや予算などに応じてスピーカの接続構成を適宜変更できるようになっている。
【特許文献１】特開平１１−２５１９３９号公報
【発明の開示】
【発明が解決しようとする課題】
【０００５】
しかしながら、上記車載オーディオ装置にあっては、スピーカ接続構成に応じて音声出力に関するオーディオ設定をユーザが適宜調整可能に構成されているものの、スピーカ接続構成を変更するごとに、特に、以前のスピーカ接続構成に戻した場合に、そのスピーカ接続構成に応じたオーディオ設定を再度行う必要があり、非常に面倒である、といった問題があった。
また、この問題は、車載オーディオ装置に限らず、スピーカ接続構成を変更可能に構成された一般的なオーディオ装置にも共通する問題である。
【０００６】
本発明は、上述した事情に鑑みてなされたものであり、ユーザがスピーカの接続構成の変更に伴うオーディオ設定の手間を省くことのできるオーディオ装置、および、その制御方法を提供することを目的とする。
【課題を解決するための手段】
【０００７】
上記目的を達成するために、本発明は、スピーカの接続構成が変更可能に構成され、前記スピーカの接続構成に応じてオーディオ設定を調整可能に構成されたオーディオ装置であって、前記スピーカの接続構成が変更された場合に、変更前の前記スピーカの接続構成に対応するオーディオ設定の調整値を、前記スピーカの接続構成と対応付けて記憶する記憶手段を備え、前記記憶手段に記憶されているスピーカの接続構成と同じ接続構成にスピーカの接続構成が変更された場合に、当該スピーカの接続構成に対応する前記オーディオ設定の調整値を読み出すようにしたことを特徴とする。
【０００８】
また本発明は、上記発明において、前記記憶手段は、前記スピーカの接続構成ごとにオーディオ設定の調整値のデフォルト値を予め記憶することを特徴とする。
【０００９】
なお、上記発明において、前記スピーカの接続構成が変更されたとき、変更前の前記スピーカの接続構成に対応する前記オーディオ設定の調整値が前記記憶手段に既に記憶されている場合には、変更前の前記スピーカの接続構成に対応する今回のオーディオ設定の調整値により、前記記憶手段に既に記憶されている前記オーディオ設定の調整値を書き換えるようにすれば良い。
【００１０】
また本発明は、上記発明において、車輌に搭載される車載機器として構成されたことを特徴とする。
【００１１】
また上記目的を達成するために、本発明は、スピーカの接続構成が変更可能に構成され、前記スピーカの接続構成に応じてオーディオ設定を調整可能に構成されたオーディオ装置の制御方法であって、前記スピーカの接続構成が変更された場合に、変更前の前記スピーカの接続構成に対応するオーディオ設定の調整値を、前記スピーカの接続構成と対応付けて記憶するとともに、既に記憶しているスピーカの接続構成と同じ接続構成にスピーカの接続構成が変更された場合には、当該スピーカの接続構成に対応する前記オーディオ設定の調整値を読み出してオーディオ設定の調整値として設定することを特徴とする。
【発明の効果】
【００１２】
本発明によれば、ユーザがスピーカの接続構成の変更に伴うオーディオ設定の手間を省くことができる。
【発明を実施するための最良の形態】
【００１３】
以下、図面を参照しつつ本発明の実施の形態について説明する。
図１は本実施の形態に係る車載用電子機器の一態様たるカーオーディオ装置１の正面図であり、図２は当該カーオーディオ装置１の装置本体２の正面図である。図１に示すように、カーオーディオ装置１の正面（フロント部分）には、着脱可能コントロールパネル（以下、ＤＣＰ（Detachable Control Panel）という）３が装置本体２に対して取り外し自在に取り付けられる。
【００１４】
ＤＣＰ３は、カーオーディオ装置１の表示手段および操作手段として機能するものであり、ＤＣＰケース４と、液晶パネル５と、当該液晶パネル５上に設けられたタッチパネル６と、液晶パネル５の左右両側に配設された複数の操作キー７とを有している。液晶パネル５の上下縁部には上フレーム８Ａおよび下フレーム８Ｂが設けられ、これら上フレーム８Ａおよび下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。具体的には、液晶パネル５には、これら４箇所の凹部９に対応して４つの操作ボタンアイコン１０が表示され、ユーザが下フレーム８Ｂ上で指を摺動させれば、液晶パネル５に表示された操作ボタン１０の位置を凹部９の位置から察することができるようになっている。したがって、ユーザは液晶パネル５を見なくとも、タッチパネル６の操作を容易に行うことができる。
【００１５】
さらに、図１に示すように、液晶パネル５の左右両縁のそれぞれには、上下に延びるガイド片１１が設けられている。これらのガイド片１１は、上記下フレーム８Ｂの凹部９と同様に、タッチパネル６上の操作箇所を案内するものである。具体的には、液晶パネル５の左右両縁付近には、液晶画面５に表示されている表示項目を順次変更するためのスクロール操作アイコン１２が表示されており、ユーザはガイド片１１を頼りにスクロール操作アイコン１２を操作することができる。すなわち、ユーザがガイド片１１に沿ってタッチパネル６上を指で摺摩することで、スクロール操作アイコン１２が操作され、表示項目が順次変更される。
【００１６】
ＤＣＰ３が複数の操作キー７を備えることは上述の通りであるが、これらの操作キー７として、電源・ボリュームキー７Ａ、ソースボタン７Ｂ、オープン・イジェクトボタン７Ｃ、アジャストボタン７Ｄ、モードボタン７Ｅ、サウンドボタン７Ｆ、および、ＩＳＲボタン７Ｇが設けられている。電源・ボリュームキー７Ａはロータリーキースイッチとして構成され押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体１に内蔵されたラジオ音源やＣＤ（Compact Disc）音源、装置本体２に通信可能に接続されたＣＤチェンジャーやＤＶＤ（Digital Versatile Disk）チェンジャー、および、外部音声入力端子から入力される外部音声などが用いられている。
【００１７】
オープン・イジェクトボタン７ＣはＤＣＰ３を開くための押下式ボタンであり、ＤＣＰ３が閉じた状態でオープン・イジェクトボタン７Ｃが押下されると、ＤＣＰ３が図示せぬリンク機構により装置本体１から押し出されるように傾倒して開状態となり、装置本体２の正面（フロント部分）が露出する。図２に示すように、装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤの排出動作が行われる。さらに、ＤＣＰ３が開状態となった場合には、所定時間経過後に、図示せぬリンク機構が作動して、自動で閉状態となる。
【００１８】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００１９】
また、ＤＣＰ３の正面には、車室内の明るさを感知するフォトセンサの受光窓１３と、リモートコントローラからの信号を受光するための受光窓１４とが設けられている。本カーオーディオ装置１にあっては、上記フォトセンサで感知した車室内の明るさに応じて液晶パネル５のバックライトの輝度が調整されるようになっている（いわゆる、オートディマー機能）。
【００２０】
このＤＣＰ３は、上記のように、装置本体２から取り外し可能になっており、その構造について説明すると、図３に示すように、ＤＣＰ３の背面には、２つの係合突起３０Ａ、３０Ｂと１つの係合受け３１とが形成されると共にコネクタ接点３２が形成され、また、図２に示すように、装置本体２の正面には、上記ＤＣＰ３を取り付けるための支持プレート２１が設けられ、この支持プレート２１上に２つの係合受け２２Ａ、２２Ｂと、１つの係合突起２３と、コネクタ接点２４とが形成されている。この構成の下、ＤＣＰ３の背面の係合受け３１を装置本体２の支持プレート２１上の係合突起２３に押し込んで、ＤＣＰ３の一端側を装置本体２に係合させた後、ＤＣＰ３の背面の係合突起３０Ａ、３０Ｂ及びコネクタ接点３２をそれぞれ装置本体２の係合受け２２Ａ、２２Ｂ及びコネクタ接点２４に押し込んで係合させることで、ＤＣＰ３が装置本体２の正面に取り外し自在に取り付けられる。
【００２１】
ＤＣＰ３が装置本体２に取り付けられた状態にあっては、上記コネクタ接点３２および２４を介してＤＣＰ３と装置本体２との間で信号の送受が可能となり、これらＤＣＰ３と装置本体２との間で操作キー７の操作に応じた操作信号や、液晶パネル５へ各種情報を表示するための信号等が送受される。
【００２２】
次いで、本カーオーディオ装置１の機能的構成について図４を参照して詳述する。図４はカーオーディオ装置１の装置本体２およびＤＣＰ３の機能的構成を示すブロック図である。この図に示すように、カーオーディオ装置１の装置本体２は、マスターマイコン１００と、ラジオ受信部１１０と、ＣＤ再生部１２０と、音声出力部１２０とを備えている。
マスターマイコン１００は、装置本体２の各部およびＤＣＰ３の制御を実行するものであり、制御手段としてのＣＰＵ１０１や、記憶手段としてのＥＥＰＲＯＭ１０２およびＲＡＭ１０３を備えている。また、ＥＥＰＲＯＭ１０２には、制御用プログラムやメニュー画面などの各種表示用データが格納されている。なお、図示を省略しているが、マスターマイコン１００には、車両のバッテリに直結されたバックアップ電源と、キースイッチを介してバッテリに接続されたＡＣＣ電源とが供給されている。したがって、ＡＣＣ電源がオフの間は、バックアップ電源がマスターマイコン１００に供給されて、ＲＡＭ１０３に格納したデータが保持される。
【００２３】
ラジオ受信部１１０は、ＡＭ／ＦＭ波のラジオ放送を受信するものであり、アンテナ１１１と、チューナ回路１１２とを備え、チューナ回路１１２がマスターマイコン１００の指示に基づいて所定チャンネルのラジオ放送を受信し、音声信号を音声出力部１２０に出力する。ＣＤ再生部１２０は、マスターマイコン１００の制御の下、ＣＤに記録されている音楽データを読み取り、音声信号を音声出力部１３０に出力するＣＤ読取部１２１を備えている。
【００２４】
音声出力部１３０は、マスターマイコン１００の制御の下、ラジオ受信部１１０及びＣＤ再生部１２０の各々からの音声信号に基づいて音声を出力するものであり、ＤＳＰ（Digital Signal Processor）１３１と、音量を調整する電子ボリューム回路１３２とを備えている。ＤＳＰ１３１は、マスターマイコン１００の制御の下、音声信号に対して、例えばフィルタ処理やイコライザ処理、デコード処理といったデジタル音声信号処理を施して電子ボリューム回路１３２に出力するものであり、電子ボリューム回路１３２は、マスターマイコン１００の制御の下、再生音量を調整すべく、音声信号をＤ／Ａ変換した後に信号の振幅レベルを調整して出力するものである。また、ＤＳＰ１３１には、上記ラジオ受信部１１０及びＣＤ再生部１２０のほかにも、例えば図示せぬカーナビゲーション装置といった外部機器からの外部音声信号が入力可能に構成されている。
【００２５】
本カーオーディオ装置１には、例えば２線の同軸ケーブルからなるＲＣＡコネクタを介して外部アンプユニット１６０が接続されており、上記電子ボリューム回路１３２から出力された音声信号がＲＣＡコネクタを介して外部アンプユニット１６０に入力される。外部アンプユニット１６０は複数のスピーカＳＰが接続可能に構成されており、接続可能なスピーカＳＰの最大数だけのアンプ回路（図示せず）を備え、電子ボリューム回路１３２から入力された音声信号を増幅して、現在接続されている各スピーカＳＰに出力する。なお、スピーカＳＰの接続構成については後に詳述することとする。また、本実施の形態では、装置本体２に外部アンプユニット１６０を接続して音を出力する構成としたが、これに限らず、アンプ回路やスピーカを装置本体２に内蔵し、外部アンプユニット１６０を介さずに音声を出力可能に構成しても良い。
【００２６】
ＤＣＰ３は、上記のように、液晶パネル５とタッチパネル６と操作キー７とを備える他、さらに、ＤＣＰ３の各部を制御する表示マイコン１５１と、当該表示マイコン１５１の指示に基づいて液晶パネル５に各種情報表示を行うＬＣＤドライバ１５２とを有している。ＤＣＰ３が装置本体２に装着された場合には、ＤＣＰ３の表示マイコン１５１と装置本体２のマスターマイコン１００とが上記コネクタ接点２４、３２により電気的に接続され、各種信号の授受を行う。例えば操作キー７の一つである電源・ボリュームキー７Ａ（図１参照）が回転操作され、ユーザによりボリューム調整が行われた場合には、かかる回転操作量が図示せぬエンコーダにより検出され、表示マイコン１５１からマスターマイコン１００に送信される。この結果、マスターマイコン１００は、再生音量が電源・ボリュームキー７Ａの回転操作量に応じたボリュームとなるように電子ボリューム回路１３２を制御することとなる。
【００２７】
タッチパネル６には抵抗膜方式のタッチパネルが用いられ、その表面に手などが触れた場合、その接触点の位置座標に応じた電圧の信号が表示マイコン１５１に出力され、かかる信号に基づいて表示マイコン１５１によって接触点座標が特定される。これにより、液晶パネル５に表示されているどの操作ボタンが操作されたかが特定され、その操作に応じた動作が実行される。
【００２８】
さて、上述したように、外部アンプユニット１６０は複数のスピーカＳＰが接続可能に構成されており、本実施の形態では、当該外部アンプユニット１６０に最大６つのスピーカＳＰが接続可能となっている。詳細には、装置本体２には、２チャンネル（Ｒｉｇｈｔ、Ｌｅｆｔ）分の音声出力端子を備える３つの音声信号出力部ＯＵＴ１〜ＯＵＴ３が設けられている。そして、これら音声信号出力部ＯＵＴ１〜ＯＵＴ３の各々には、外部アンプユニット１６０を介して、スピーカＳＰ１Ｌ、ＳＰ１Ｒ、ＳＰ２Ｌ、ＳＰ２Ｒ、ＳＰ３Ｌ、ＳＰ３Ｒが接続可能に構成されている。
【００２９】
スピーカＳＰの接続構成について詳述すると、本実施の形態では、接続されるスピーカＳＰの種類（出力可能周波数帯域）に応じて、「３ＷＡＹ」、「２ＷＡＹ」、「５．１ｃｈ」および「ＮＯＲＭＡＬ」の４パターンの接続構成が採用され得る。なお、以下の説明では、「３ＷＡＹ」、「２ＷＡＹ」、「５．１ｃｈ」および「ＮＯＲＭＡＬ」の各々を第１パターンＰ１、第２パターンＰ２、第３パターンＰ３、および、第４パターンＰ４と呼ぶことにする。
【００３０】
図５は車室内におけるスピーカＳＰの配置構成を示す図であり、図６はスピーカＳＰの接続構成ごとに音声信号出力部ＯＵＴ１〜ＯＵＴ３とスピーカＳＰの接続関係を示す図である。なお、図５において、符号Ｘは車両の運転席であり、符号Ｙは助手席、符号Ｚは後部座席である。
【００３１】
これらの図に示すように、本実施の形態では、スピーカＳＰとして、ツィータ、ミドルレンジスピーカ（フルレンジスピーカを含む）、サブウーハ、フロントスピーカ、リアスピーカ、および、センタースピーカが適宜組み合わせて用いられる。なお、図６では、ツィータを「ＨＩＧＨ」、ミドルレンジスピーカ（フルレンジスピーカを含む）を「ＭＩＤ」、サブウーハを「SUB WOOFER又はＳＷ」、フロントスピーカを「ＦＲＯＮＴ」、リアスピーカを「ＲＥＡＲ」、センタースピーカを「ＣＴＲ」と表記している。
【００３２】
各パターンＰ１〜Ｐ４について詳細には、第１パターンＰ１は、音声信号出力部ＯＵＴ１の出力先（スピーカＳＰ１Ｌ、ＳＰ１Ｒ）がツィータ（ＨＩＧＨ２ｃｈ）、音声信号出力部ＯＵＴ２の出力先（スピーカＳＰ２Ｌ、ＳＰ２Ｒ）がフロントスピーカ（ＭＩＤ２ｃｈ）、音声出力ＯＵＴ３の出力先（スピーカＳＰ３Ｌ、ＳＰ３Ｒ）がサブウーハ（SUB WOOFER２ｃｈ）である３ＷＡＹ構成となる。
第２パターンＰ２は、音声信号出力部ＯＵＴ１の出力先ＳＰ１Ｌ、ＳＰ１Ｒがツィータ（ＨＩＧＨ２ｃｈ）、音声信号出力部ＯＵＴ２の出力先ＳＰ２Ｌ、ＳＰ２Ｒがフロントスピーカ（ＭＩＤ２ｃｈ）、音声信号出力部ＯＵＴ３の出力先ＳＰ３Ｌ、ＳＰ３Ｒがリアスピーカ（ＲＥＡＲ）である２ＷＡＹ構成となる。
【００３３】
第３パターンＰ３は、音声信号出力部ＯＵＴ１の出力先ＳＰ１Ｌ、ＳＰ１Ｒがフロントスピーカ（ＦＲＯＮＴ２ｃｈ）、音声信号出力部ＯＵＴ２の出力先ＳＰ２Ｌ、ＳＰ２Ｒがサラウンドスピーカ（ＲＥＡＲ２ｃｈ）、音声信号出力部ＯＵＴ３の出力先ＳＰ３Ｌ、ＳＰ３Ｒがセンタースピーカおよびサブウーハ（ＣＴＲ＋ＳＷ）である５．１ｃｈ構成となる。
第４パターンＰ４は、音声信号出力部ＯＵＴ１の出力先ＳＰ１Ｌ、ＳＰ１Ｒがフロントスピーカ（ＦＲＯＮＴ２ｃｈ）、音声信号出力部ＯＵＴ２の出力先ＳＰ２Ｌ、ＳＰ２Ｒがリアスピーカ（ＲＥＡＲ２ｃｈ）、音声信号出力部ＯＵＴ３の出力先ＳＰ３Ｌ、ＳＰ３Ｒがサブウーハ（ＳＷ２ｃｈ）である標準的な構成となる。
【００３４】
これらのスピーカ接続構成を示す第１〜第４パターンＰ１〜Ｐ４は、前掲図６に示すスピーカ接続構成テーブル２００としてマスターマイコン１００のＥＥＰＲＯＭ１０２に記憶されている。そして、車室内のスピーカＳＰの接続構成に変更があった場合には、ユーザがＤＣＰ３を操作することによって、上記第１〜第４パターンＰ１〜Ｐ４の中から新たなスピーカ接続構成を設定することになる。
【００３５】
具体的には、ユーザが上記アジャストボタン７Ｄを押下操作することで、図７（Ａ）に示す調整メニュー画面２１０を液晶パネル５に表示させる。この調整メニュー画面２１０には、調整項目の大項目として、「ＡＰＰＥＡＲＡＮＣＥ」、「ＳＯＵＮＤ」、「ＴＵＮＥＲ」および「ＳＥＴＴＩＮＧ」の４つの項目が表示される。そして、スピーカ接続構成の設定変更時には、ユーザが「ＳＥＴＴＩＮＧ」をタッチ操作することで、図７（Ｂ）に示すように、セッティング画面２１１が液晶パネル５に表示される。このセッティング画面２１１にあっては、大項目「ＳＥＴＴＩＮＧ」に属する複数の調整項目の中から１つの調整項目が表示される。本実施の形態では、大項目「ＳＥＴＴＩＮＧ」に属する調整項目「ＳＹＳＴＥＭ  ＣＨＥＣＫ」がスピーカ接続構成の設定に対応しており、ユーザは、セッティング画面１２において、スクロール操作アイコン１２をタッチ操作して、調整項目「ＳＹＳＴＥＭ  ＣＨＥＣＫ」を表示させる。
【００３６】
そして、ユーザは調整項目「ＳＹＳＴＥＭ  ＣＨＥＣＫ」とともに表示されているＥＮＴキーをタッチ操作することで、図７（Ｃ）に示すシステムチェック確認画面２１２を表示させる。このシステムチェック確認画面２１２は、システムチェックを実行するか否かをユーザに問い合わせるための画面であり、ＯＫボタンとＣＡＮＣＥＬボタンとを含んでいる。そして、ユーザがＯＫボタンをタッチ操作すると、図７（Ｄ）に示すスピーカセレクト画面２１３が表示される。このスピーカセレクト画面２１３には、上記第１〜第４パターンＰ１〜Ｐ４を示すボタンが表示されており、変更後のスピーカ接続構成に対応するボタンをタッチ操作することで、スピーカ接続構成の変更・選択が行われる。このようにスピーカ接続構成が選択・変更されると、そのスピーカ接続構成がマスターマイコン１００に出力されることになる。
【００３７】
また、本実施の形態では、第１〜第４パターンＰ１〜Ｐ４のスピーカ接続構成ごとに、オーディオ（Ａｕｄｉｏ）設定が可能となっている。具体的には、前掲図７（Ａ）に示すように、調整メニュー画面２１０には大項目「ＳＯＵＮＤ」が設けられており、この大項目「ＳＯＵＮＤ」には、第１〜第４パターンＰ１〜Ｐ４のスピーカ接続構成ごとに複数の調整項目が設けられ、これらの調整項目を調整することでオーディオ設定がなされる。具体的には、図８に示すように、第１パターンＰ１（３ＷＡＹ）および第４パターンＰ４（ＮＯＲＭＡＬ）には、調整項目として、イコライザ設定に関する「ＥＱ＿ＳＥＬＥＣＴ」、サブウーハの出力設定に関する「ＳＵＢ−ＷＯＯＦＥＲ」、および、アンプ回路の有効／無効設定に関する「ＡＭＰ＿ＣＡＮＣＥＬ」の３つの調整項目が設けられ、第２パターンＰ２には、調整項目として、「ＥＱ＿ＳＥＬＥＣＴ」、および、「ＡＭＰ＿ＣＡＮＣＥＬ」の２つの調整項目が設けられている。また、第３パターンＰ３（５．１ｃｈ）には、調整項目として、センタースピーカ音声出力の有効／無効を設定する「ＣＥＮＴＥＲ−ＳＰ」と、上記「ＳＵＢ−ＷＯＯＦＥＲ」、および、上記「ＡＭＰ＿ＣＡＮＣＥＬ」の３つの調整項目が設けられている。
【００３８】
上記の構成の下、スピーカ接続構成が変更された場合には、そのスピーカ接続構成に対応する各調整項目をユーザが調整することでオーディオ設定がなされる。また、本実施の形態では、スピーカ接続構成が変更され、新たなスピーカ接続構成のオーディオ設定がなされた場合、マスターマイコン１００は、変更前のスピーカ接続構成のオーディオ設定を破棄せずにＲＡＭ１０３に記憶させて保持しておく構成としている。
【００３９】
オーディオ設定の保持動作について詳細には、図９に示すように、マスターマイコン１００は、システムチェック確認画面２１２（前掲図７（Ｃ）参照）においてＯＫボタンがタッチ操作された場合、スピーカセレクト画面２１３（前掲図７（Ｄ）参照）を液晶パネル５に表示して、システムチェック動作を開始する（ステップＳ１）。次いで、マスターマイコン１００は、スピーカセレクト画面２１３において、いずれかのスピーカ接続構成が選択されたか否かを判断し（ステップＳ２）、スピーカ接続構成が選択されていない場合は（ステップＳ２：ＮＯ）、オーディオ設定を終了する。
【００４０】
一方、いずれかのスピーカ接続構成が選択された場合は（ステップＳ２：ＹＥＳ）、マスターマイコン１００は、変更前のスピーカ接続構成に対応するオーディオ（Ａｕｄｉｏ）設定を、当該スピーカ接続構成と対応付けてＲＡＭ１０３に記憶させ（ステップＳ３）、そして、変更後のスピーカ接続構成（上記ステップＳ２にて選択されているスピーカ接続構成）に対応するオーディオ設定を読み出し（ステップＳ４）、オーディオ設定を終了する。これにより、現在のオーディオ設定が変更後のスピーカ接続構成に対応したオーディオ設定に置き換えられることとなる。
【００４１】
ここで、初期状態においては、ＲＡＭ１０３には、第１〜第４パターンＰ１〜Ｐ４のスピーカ接続構成ごとにオーディオ設定の初期値（デフォルト値）が記憶されている。そして、スピーカ接続構成が変更された場合には、変更前のスピーカ接続構成に対応するオーディオ設定値により、その初期値が書き換えられる。なお、第１〜第４パターンＰ１〜Ｐ４のスピーカ接続構成ごとのオーディオ設定を、いつでも初期値（デフォルト値）に戻すことを可能にすべく、これらの初期値をＥＥＰＲＯＭ１０２に格納しておく構成が望ましい。
【００４２】
以上説明したように、本実施の形態によれば、スピーカ接続構成が変更された場合に、変更前のスピーカの続構成に対応するオーディオ設定の調整値を、スピーカ接続構成と対応付けてＲＡＭ１０３に記憶するとともに、既に記憶しているスピーカ接続構成と同じ接続構成に変更された場合に、当該スピーカ接続構成に対応するオーディオ設定の調整値を読み出すようにしたため、スピーカ接続構成が以前のスピーカ接続構成に戻された場合に、ユーザは、そのスピーカ接続構成に応じたオーディオ設定を再度行う必要がなく、オーディオ設定の再調整の手間を省くことができる。
【００４３】
また、本実施の形態によれば、ＲＡＭ１０３がスピーカ接続構成ごとにオーディオ設定の調整値のデフォルト値を予め記憶する構成としたため、スピーカ接続構成を新たな接続構成に変更した場合であっても、そのスピーカ接続構成に対応するデフォルト値が読み出されるから、ユーザのオーディオ設定の調整が容易となる。
【００４４】
なお、上述した実施の形態は、あくまでも本発明の一態様を示すものであり、本発明の範囲内で任意に変形および応用可能である。
例えば、上述した実施の形態では、オーディオ装置の一例として車載機器であるカーオーディオ装置を例示したが、これに限らず、スピーカ接続構成が変更可能なオーディオ装置であれば任意のオーディオ装置に本発明を適用することができる。
【図面の簡単な説明】
【００４５】
【図１】本発明の実施の形態に係るカーオーディオ装置の正面図である。
【図２】同装置本体の正面図である。
【図３】同ＤＣＰの背面図である。
【図４】カーオーディオ装置の機能的構成を示すブロック図である。
【図５】（Ａ）〜（Ｄ）は、スピーカの接続構成の説明に供する図である。
【図６】スピーカ接続構成テーブルを示す図である。
【図７】スピーカ接続構成の変更手順を説明するための図である。
【図８】スピーカ接続構成ごとのオーディオ設定を示す図である。
【図９】スピーカ接続構成の変更時の動作を示すフローチャートである。
【符号の説明】
【００４６】
１  カーオーディオ装置
２  装置本体
３  ＤＣＰ
５  液晶パネル
６  タッチパネル
１００  マスターマイコン
１０１  ＣＰＵ
１０３  ＲＡＭ
２００  スピーカ接続構成テーブル
ＳＰ  スピーカ
【図１】
2006186571.tif 000003
【図２】
2006186571.tif 000004
【図３】
2006186571.tif 000005
【図４】
2006186571.tif 000006
【図５】
2006186571.tif 000007
【図６】
2006186571.tif 000008
【図７】
2006186571.tif 000009
【図８】
2006186571.tif 000010
【図９】
2006186571.tif 000011